(57)【要約】【課題】座薬が肛門外へ滑り落ちたり使用者の手の温度によって溶解されたりすることが防止でき、衛生で使いやすくなる肛門に入れる座薬の使用補助具を提供する。【解決手段】主としては前段部において拡大のつば板並びに中段部において溝道のある管状体があり、また先端が丸い頭になるため、その管状体の溝道に合わせてその内側を移動自在に押し入れることのできるプランジャーも含んで;そのプランジャーによって、予め溝道に置いてある座薬を前へ押し込ませることができるため、座薬が指で摘まれないまま、順行で、的確に患者の肛門の中に押し込まれ、そして後続に押し込まれてきたプランジャーの丸い頭の先端が肛門の口縁に当たるようになる肛門に入れる座薬の使用補助具である。【選択図】図1
0003111102.tif 000002
【実用新案登録請求の範囲】
【請求項１】
一種の肛門に入れる座薬の使用補助具であり、主としては次のようなものが含まれている。
一つの管状体があり;その前段部において患者の肛門外部に止めるための拡大されたつば板があり、並びに中段部において中空になって貫通した溝道があり;その中においては、管状体の末段部は使用者の指が末段部の内面を引っ掛けて滑り落ちることを防止しながら力を入れて押し込みやすいための拡大された受止め板として使われる。
一つのプランジャーがあり;それは先端が丸い頭になり、胴体がちょうど管状体の溝道の内側へ押し込まれて移動できるようになり;それによって予め溝道に詰め込んで置いた座薬をプランジャーによって溝道に詰め込まれてから前へ押し入れられることで座薬が順行で、的確に患者の肛門の中に押し込まれ、そして後続に押し込まれてきたプランジャーの丸い頭の先端が肛門の口縁に当たるようになるため、座薬が完全に溶解したり縮小になったりするまで外へ滑り落ちることが防止できるのを特徴とするものである。
【請求項２】
請求項1に述べられたような肛門に入れる座薬の使用補助具であり;その中においては、管状体が溝道の先端の口縁に位置して、突出した受口をつば板の前側に突出に増設してもよく;その突出した受口により、まずこれから押し込む患者の肛門に合わせて押し込ませてから、またプランジャーによって溝道に押し入れられて、前へ押し込むことを通して座薬を指で摘まないまま順行で、的確に患者の肛門内に押し入れることができるのを特徴とするものである。
【考案の詳細な説明】
【技術分野】
【０００１】
本考案は肛門に入れる座薬の使用補助具に関し、主としては肛門に入れる座薬を指で摘む必要のないまま順行で、的確に患者の肛門内へ押し入れることができるような、操作に当たり使いやすい補助具を提供する。
【背景技術】
【０００２】
よって、肛門に入れる座薬の用途と言えば、主として弾丸状の座薬を肛門に詰め入れてから薬の効き目をすばやく人体に吸収させて熱さまし、咳止めなどの作用を達することにあるため、幼児または老人の介護の上では非常によく使われている。しかしながら、座薬には人体に吸収されやすいために吸熱・融解しやすい特性を持たせることにより、座薬を肛門へ押し入れようとする時、患者が抵抗したり介護者が使い慣れなかったりするなど、指で保持する時間が長すぎることになるため、座薬の表面が溶け始めたり、滑ったりして折れたり落ちたりする不意なことになりやすい。
また、肛門に詰め入れた座薬は表面が溶け始めたため、すべっこくなったことで座薬は完全に融解したり極端に小さく縮小したりするまで、患者のうごめきや姿勢変換によって意図的にまたは無意識に座薬を体外へ押し出して失敗をもたらす。そこで介護者が常に指で肛門の口を塞いだりして座薬の脱落を防止しなければならないことになるのである。これこそが殆ど断熱のアルミ箔で包装した肛門の座薬を使用する時の、不衛生で不便な欠点になる。
【考案の開示】
【考案が解決しようとする課題】
【０００３】
本考案の主な目的とは、一種の、肛門に入れる座薬の使用補助具を提供することにある。それは一つの管状体の溝道によって予め座薬を詰めておくための内側を提供して、そしてそれに合わせて一つの、先端が丸い頭のある、且つちょうど管状体の溝道の内側へ押し入れられてその中を移動自在になるプランジャーがあり、このプランジャーによって押し込まれた座薬は指で保持されないまま順行で的確に患者の肛門内に押し入れられるため、座薬の脱落や介護者の指の温度で融解される虞のなく、便利な使用効果に達せることを特徴とするものである。
本考案のもう一つの目的とは、一種の肛門に入れる座薬の使用補助具を提供することにある。その中において、座薬を患者の肛門の中に押し入れるためのプランジャーはその先端が管状体の溝道の口縁から突出してからその丸い頭の先端がちょうど肛門の口縁の箇所に当たるようになれるため、座薬が滑り落ちるのを防止する、衛生に操作する効果を実現させることを特徴とするものである。
【課題を解決するための手段】
【０００４】
その構造は、前段部において拡大のつば板があって、並びに中段部に溝道のある管状体を有し、また先端が丸い頭になるため、ちょうど溝道の内側へ押し入れられるプランジャーと合わせてあり、それによって溝道に置いてある座薬を前へ押し込んで肛門の内部へ押し詰めてからプランジャーの丸い頭の先端が続いて肛門の口縁にくることにより、座薬が滑り落ちたりすることを防止して操作簡便の効果に達することを特徴とするものである。
【考案を実施するための最良の形態】
【０００５】
図1並びに図2に示されたように本考案において主としては前段部が患者の肛門Pの外部を遮るための拡大のつば板21としてなり、並びに中段部が中空で貫通できる溝道22になる管状体2を有し;その中においては管状体2の末段は介護者の指がその内面に引っ掛かって座薬が外へ滑り落ちるのを防止しながら力を入れて押し入れやすくなるための拡大した受止め板23になっている。
【０００６】
また、先端が丸い頭になったプランジャー3も合わせて有し、それは管状体2の溝道22の内側に押し入れられ、移動可能になれるものであり;それによって(続けて図２A,２B,２C,２Dの如く)予め溝道22内に置いてある座薬Sは直接に使用者の手と接触しないため、その指の温度で融解される欠点が発生しないから衛生で便利な操作性を持つようになる。
【０００７】
更に、続けてプランジャー3によって溝道22に詰め込まれてから、前へとプッシュすることによって座薬Sは指で摘まれる必要のないまま、順行で的確に患者の肛門P内に押し入れられ;そして続いて押し込まれるとプランジャー3の丸い頭の先端31が肛門Pの口縁まで当たるようになるため、座薬Sは完全に融解したり縮小したりするまでに外へ滑り落ちることが防止できる。
【０００８】
それから図3並びに図３A,３B,３Cに示されたように、本考案の構造においては溝道22の先端の口縁に一つの突出した受口24をつば板21の前側を突出させて増設でき;この突出した受口24をまず対象の患者の肛門Pに合わせて押し入れてからプランジャー3によって溝道22の中に詰め込む後、前へとプッシュすることで座薬Sを同じく指で摘まないまま順行で的確に患者の肛門Pの中に押し入れることができるため、座薬Sを押し入れる時の使いやすさが促進できる。
【０００９】
上記をまとめて考えたら本考案は構造においては簡便で、造りやすく、且つ使用においては利便、衛生など全面的な実用性を有するため、確かに新型考案の成立要旨に符合する。
【図面の簡単な説明】
【００１０】
【図１】本構造における立体の分解図である。
【図２】本構造における立体の組立図である。
【図２Ａ】本構造における実施例の第一図である。
【図２Ｂ】本構造における実施例の第二図である。
【図２Ｃ】本構造における実施例の第三図である。
【図２Ｄ】本構造における実施例の第四図である。
【図３】本構造の第二の例における立体の組立図である。
【図３Ａ】本構造の第二の例における実施例の第一図である。
【図３Ｂ】本構造の第二の例における実施例の第二図である。
【図３Ｃ】本構造の第二の例における実施例の第三図である。
【符号の説明】
【００１１】
2  管状体
21  つば板
22  溝道
23  受止め板
24  突出した受口
3  プランジャー
31  丸い頭の先端
S  座薬
P  肛門
【図１】
0003111102.tif 000003
【図２】
0003111102.tif 000004
【図２Ａ】
0003111102.tif 000005
【図２Ｂ】
0003111102.tif 000006
【図２Ｃ】
0003111102.tif 000007
【図２Ｄ】
0003111102.tif 000008
【図３】
0003111102.tif 000009
【図３Ａ】
0003111102.tif 000010
【図３Ｂ】
0003111102.tif 000011
【図３Ｃ】
0003111102.tif 000012